(57)【要約】【課題】  ミーティングのための空間を確保するときの利便性を図ったパネル付き椅子を提供する。【解決手段】  背凭れ３の左右少なくとも一方の側部に、上下方向を向く枢軸８を設け、この枢軸８を介して、回動パネル９を背凭れ３の後方から側方にかけて回動可能として枢着する。【選択図】  図１
2005137595.tif 000002
【特許請求の範囲】
【請求項１】
背凭れの左右少なくとも一方の側方部に、上下方向を向く枢軸を設け、この枢軸を介して、回動パネルを、背凭れの後方から側方にかけて回動可能として枢着したことを特徴とするパネル付き椅子。
【請求項２】
回動パネルの下端にキャスタを取付けた請求項１記載のパネル付き椅子。
【請求項３】
パネルが椅子の側方にあるときに、椅子の側を向く前記パネルの面を筆記可能面とした請求項１または２記載のパネル付き椅子。
【請求項４】
筆記可能面に、筆記具受け手段を取付けた請求項３記載のパネル付き椅子。
【請求項５】
回動パネルの他に、背凭れの後方に固定パネルを固着した請求項１〜４のいずれかに記載のパネル付き椅子。
【請求項６】
固定パネルの左右少なくとも一方の側端に上下方向を向く枢軸を取付け、回動パネルをこの枢軸を介して枢着した請求項５記載のパネル付き椅子。
【請求項７】
固定パネルの下端にキャスタを取付けた請求項５〜６記載のパネル付き椅子。
【請求項８】
後部の脚を固定パネルと一体とした請求項７記載のパネル付き椅子。
【請求項９】
キャスタにストッパを取付けた請求項２または８記載のパネル付き椅子。
【発明の詳細な説明】
【技術分野】
【０００１】
本発明は、背凭れの一側部に、回動パネルを後方から側方にかけて回動可能として枢着したパネル付き椅子に関する。
【背景技術】
【０００２】
オフィスの一部において、適宜空間を確保してミーティングを行う場合は、参加者がミーティングに集中できるよう、ミーティングのための空間を適当な手段で周囲から隔離することが望ましい。このため、並べる際に脚同士が衝突することのない複数のパネル状の什器で、ホワイトボードとしても使用できるものが提案されている（特許文献１参照）。
【０００３】
また、適宜空間を確保して行われるミーティングのために、移動可能なフリップボードでマーカー類の落下を防止しうるトレーを備えたものや、壁際に容易に取付け・取外しができるホワイトボードからなるミーティングボードなども提案されている（例えば特許文献２および３参照）。
【特許文献１】特開平１１−２５３２５７号公報
【特許文献２】特開２００３−８９２９６号公報
【特許文献３】特開平７−２５１５９８号公報
【発明の開示】
【発明が解決しようとする課題】
【０００４】
しかし、上述のような適宜配列されるパネル状の什器や、移動式フリップボードあるいは適宜設置されるミーティングボードは、椅子を移動させることに加えて、移動・設置しなければならないという手間や、使用しない場合の収納スペースを確保しなければならないという問題がある。
【０００５】
本発明は、上記事情に鑑みてなされたもので、ミーティングのための空間を確保するときの利便性を図ったパネル付き椅子を提供することを目的としている。
【課題を解決するための手段】
【０００６】
本発明によれば、上記課題は次のようにして解決される。
(１) 背凭れの左右少なくとも一方の側方部に、上下方向を向く枢軸を設け、この枢軸を介して、回動パネルを、椅子の後方から側方にかけて回動可能として枢着する。
(２) 上記(１)項において、回動パネルの下端にキャスタを取付ける。
(３) 上記(１)または(２)項において、パネルが椅子の側方にあるときに、椅子の側を向く前記パネルの面を筆記可能面とする。
(４) 上記(３)項において、筆記可能面に、筆記具受け手段を取付ける。
(５) 上記(１)〜(４)項において、回動パネルの他に、背凭れの後方に固定パネルを固着する。
(６) 上記(５)項において、固定パネルの左右少なくとも一方の側端に上下方向を向く枢軸を取付け、回動パネルをこの枢軸を介して枢着する。
(７) 上記(５)または(６)項において、固定パネルの下端にキャスタを取付ける。
(８) 上記(７)項において、後部の脚を固定パネルと一体とする。
(９) 上記(２)または(８)項において、キャスタにストッパを取付ける。
【発明の効果】
【０００７】
本発明によれば、次のような効果を奏することができる。
(１) 請求項１記載の発明によると、パネルが椅子に付属しているため、ミーティングのための空間を確保する手段を、椅子とは別にミーティングの度に移動・設置する必要がなく、また、ミーティングに用いない場合の収納スペースを確保する必要もなくすことができる。
【０００８】
(２) 請求項２記載の発明によると、ミーティングのための空間を周囲から隔離する回動パネルを、椅子の後方または側方の所望の位置に容易に回動させることができる。
【０００９】
(３) 請求項３記載の発明によると、空間隔離のためのパネルの椅子側の面を筆記面として使用できるので、ミーティングに便利である。
【００１０】
(４) 請求項４記載の発明によると、筆記可能面に書込みを行う筆記具の置き場所を別途設ける必要がなくなる。
【００１１】
(５) 請求項５記載の発明によると、回動パネルの外に、固定パネルによって、より広く空間を仕切ることができる。
【００１２】
(６) 請求項６記載の発明によると、回動パネルを回動させることによって、固定パネルと重ね合わせることができ、このパネル付き椅子の移動が容易になる。
【００１３】
(７) 請求項７記載の発明によると、パネル付き椅子を後方に傾け、固定パネルのキャスタのみが接床するようにして移動させれば、このパネル付き椅子の移動が容易になる。
【００１４】
(８) 請求項８記載の発明によると、パネル付き椅子全体がコンパクトになり、移動が容易になる。
【００１５】
(９) 請求項９記載の発明によると、椅子やパネルが所望の位置から妄りに移動するのを防止することができる。
【発明を実施するための最良の形態】
【００１６】
図１〜図３は、本発明の一実施形態を示す。パネル付き椅子(１)は、座部(２)と、これと一体となった背凭れ(３)、および座部(２)を下方から支持する前部脚(４)とを備えている。背凭れの垂直とした背面(3a)には、固定パネル(５)が固着されており、この固定パネル(５)の下端に取付けられた左右２個のキャスタ(６)が、パネル付き椅子(１)の後部の脚の役割も果たしている。キャスタ(６)には、ストッパ(７)が取付けられている。
【００１７】
固定パネル(５)の左端部には、上下方向を向く枢軸(８)が設けられており、この枢軸(８)を介して、回動パネル(９)が、固定パネル(５)に枢着されている。回動パネル(９)の下端における枢軸(８)とは反対側の端部に、キャスタ(10)が取付けられている。このキャスタ(10)にも、キャスタ(６)に設けたストッパ(７)と同様のストッパ（図示略）を設けるのが好ましい。
【００１８】
回動パネル(９)の座部(２)側を向く面(9a)は、ホワイトボード(11)等の筆記可能面とされており、このホワイトボード(11)の中央部外寄りには、サインペン(12)等を載置しうる筆記具受け手段としてのペントレー(13)が取付けられている。なお、ホワイトボード(11)は、通常の黒板等の、書込み可能な板材ならば、どのようなもので置き換えることもできる。また、ペントレー(13)は、永久磁石を用いた着脱可能なものでも、ホワイトボード(11)に固着されるものでもよい。
【００１９】
パネル付き椅子(１)は、次のようにして使用することができる。広いオフィス内でミーティングを開くときは、参加者は自分の使用するパネル付き椅子(１)をそのミーティング場所まで移動させる。このときは、回動パネル(９)を、枢軸(８)の回りで回動させ、図２に符号(9’)で示す位置、すなわち固定パネル(５)の背面側に重ね合わせた位置にもってくるのが好ましい。なぜなら、この位置でパネル付き椅子(１)全体を若干後方に傾ければ、前部脚(４)が床(14)から離れ、キャスタ(６)(10)を回転させて、パネル付き椅子(１)を、床(14)との抵抗なく、ミーティング場所まで容易に押進めることができるからである。
【００２０】
ミーティング場所まで移動させたら、前部脚(４)を接床させ、キャスタ(６)のストッパ(７)を係合させて、パネル付き椅子(１)を定位置に置く。
【００２１】
次に、回動パネル(９)を、図２に示すように、移動時の符号(9’)で示す位置から、符号(9'')で示す位置を経て、符号(９)で示す位置まで回動させる。各参加者が車座になって、各自の回動パネル(９)をこの位置まで移動させれば、各自の背面にある固定パネル(５)と合わせて、ミーティングの空間を隔離し、討議に集中することができるようになる。
【００２２】
また、本実施形態においては、さらに符号(9''')で示す位置、すなわち座部(２)の側方の位置まで回動させることができる。これは、座部(２)に腰掛けたミーティング参加者が、自分の右方にあるホワイトボード(11''')に腰掛けたまま書込みを行うことができるようにするためである。この場合、筆記のためのサインペン(12)は、ホワイトボード(11)に取付けたペントレー(13)から取り上げることができるため、非常に便利である。この場合でも、固定パネル(５)があるため、一定の空間仕切り効果を得ることができる。
【００２３】
なお、回動パネルの回動を符号(９)で示す位置で止めたときは、必要に応じて離席して、ホワイトボード(11)に筆記すればよい。また符号(11''')で示す位置でホワイトボード(11)に筆記した後、このホワイトボードをミーティング参加者全員に見やすいように、回動させることもできる。
【００２４】
また、回動パネル(９)は、固定パネル(５)に対して広い角度で回動できるようにすることが好ましいが、そのためには、例えば特開平１０−２１２７８０号公報に開示されているように、結合板によって互いに結合された上下方向を向く２本の枢軸の一方を固定パネル(５)の側端に形成した断面Ｃ字状の溝に嵌合し、かつ他方の枢軸を、回動パネル(９)の側端に形成した断面Ｃ字状の溝に嵌合して、回動パネル(９)を固定パネル(５)に連結するのが好ましい。
【００２５】
さらに固定パネル(５)を省略し、背凭れ(３)の一側部に設けた垂直の枢軸に、回動パネル(９)のみを枢着したり、背凭れ(３)の両側部に回動パネル(９)を枢着したり、または回動パネル(９)の遊端に、さらに別の回動パネルを連結して、それらを屏風状に折り畳みできるようにしたりしてもよい。
【図面の簡単な説明】
【００２６】
【図１】本発明の一実施形態を示す正面図である。
【図２】同じく、平面図である。
【図３】同じく、側面図である。
【符号の説明】
【００２７】
(１) パネル付き椅子
(２) 座部
(３) 背凭れ
(3a) 背面
(４) 前部脚
(５) 固定パネル
(６) キャスタ
(７) ストッパ
(８) 枢軸
(９) 回動パネル
(10) キャスタ
(11) ホワイトボード（筆記可能面）
(12) サインペン
(13) ペントレー(筆記具受け手段)
(14) 床
【図１】
2005137595.tif 000003
【図２】
2005137595.tif 000004
【図３】
2005137595.tif 000005